(57)【特許請求の範囲】
【請求項１】
店舗内の商品の広告を顧客に表示する広告表示システムであって、
店舗に設置され、各商品、または商品ごと、商品群ごと、あるいは商品メーカごとに付与した各商品のＩＤ情報と、広告費の支払いがあるかどうか、または特別販売の指定を受けたかどうかによって決定した広告の可否情報、および広告表示する時間帯、広告表示する顧客層を含む付加情報がある場合は、該付加情報とともに発信する広告情報発信機と、
前記店舗内において、陳列される商品の棚に設置され、陳列商品または陳列商品のＩＤ情報及び商品、商品群、または商品メーカの広告データを発信する商品データ発信機と、
前記店舗内を顧客と共に移動可能で、広告データを表示する表示部を有する表示端末機と、
を備え、
前記表示端末機は、前記広告情報発信機より各商品、または各商品のＩＤ情報に対する広告の可否情報、および付加情報がある場合は該付加情報とともに受信して記憶する広告情報記憶部と、前記商品データ発信機より陳列商品または陳列商品のＩＤ情報及び広告データを受信する受信部と、前記商品データ発信機より受信した陳列商品または陳列商品のＩＤ情報に基づき、前記広告情報記憶部に記憶された各商品または各商品のＩＤ情報に対する広告の可否情報を検索する検索部と、前記検索部によって検索された各商品または各商品のＩＤ情報に対する広告の可否情報が広告可である場合、および付加情報を受信したときは、その付加情報を満足する場合、各商品または各商品のＩＤ情報に対応する広告データを表示部に表示させる表示制御部を備えることを特徴とする広告表示システム。
【請求項２】
店舗内の商品の広告を顧客に表示する広告表示システムであって、
店舗に設置され、広告費の支払いがあるかどうか、または特別販売の指定を受けたかどうかによって決定した広告可の各商品、または商品ごと、商品群ごと、あるいは商品メーカごとに付与した各商品のＩＤ情報と、それに対応する商品、商品群、または商品メーカの広告データ、および広告表示する時間帯、広告表示する顧客層を含む付加情報がある場合は、該付加情報とともに発信する広告情報発信機と、
前記店舗内において、陳列される商品の棚に設置され、陳列商品または陳列商品のＩＤ情報を発信する商品データ発信機と、
前記店舗内を顧客と共に移動可能で、広告データを表示する表示部を有する表示端末機と、
を備え、
前記表示端末機は、前記広告情報発信機より広告可の各商品、または各商品のＩＤ情報と、それに対応する広告データ、および付加情報がある場合は該付加情報とともに受信して記憶する広告情報記憶部と、前記商品データ発信機より陳列商品または陳列商品のＩＤ情報を受信する受信部と、前記商品データ発信機より受信した陳列商品または陳列商品のＩＤ情報に基づき、前記広告情報記憶部に記憶された各商品または各商品のＩＤ情報を検索する検索部と、前記検索部によって検索された各商品または各商品に対応付けられた広告データを、付加情報を受信したときは、その付加情報を満足する場合、表示部に表示させる表示制御部を備えることを特徴とする広告表示システム。
【請求項３】
店舗内の商品の広告を顧客に表示する広告表示システムであって、
店舗に設置され、広告費の支払いがあるかどうか、または特別販売の指定を受けたかどうかによって決定した広告可の各商品、または広告可の商品ごと、商品群ごと、あるいは商品メーカごとに付与した各商品のＩＤ情報、および広告表示する時間帯、広告表示する顧客層を含む付加情報がある場合は、該付加情報とともに発信する広告情報発信機と、
前記店舗内において、陳列される商品の棚に設置され、陳列商品または陳列商品のＩＤ情報と、それに対応する商品、商品群、または商品メーカの広告データを発信する商品データ発信機と、
前記店舗内を顧客と共に移動可能で、広告データを表示する表示部を有する表示端末機と、
を備え、
前記表示端末機は、前記広告情報発信機より広告可の各商品、または広告可の各商品のＩＤ情報、および付加情報がある場合は該付加情報とともに受信して記憶する広告情報記憶部と、前記商品データ発信機より陳列商品または陳列商品のＩＤ情報と、それに対応する広告データを受信する受信部と、前記広告情報発信機より受信した広告可の各商品または広告可の各商品のＩＤ情報と、前記商品データ発信機より受信した陳列商品または陳列商品のＩＤ情報を検索する検索部と、前記検索部によって一致する商品または商品のＩＤ情報が存在する場合、および付加情報を受信したときは、その付加情報を満足する場合、商品または当該商品のＩＤ情報に対応する広告データを表示部に表示させる表示制御部を備えることを特徴とする広告表示システム。
【請求項４】
前記表示端末機は、商品カートに取り付けられる請求項１から３までのいずれか１項に記載の広告表示システム。
【請求項５】
前記広告データは、商品クーポン、サービス券を発行するデータを含む請求項１から３までのいずれか１項に記載の広告表示システム。
【請求項６】
店舗内を顧客と共に移動可能で、広告データを表示する表示部を有する表示端末機であって、
店舗内の各商品、または商品ごと、商品群ごと、あるいは商品メーカごとに付与した各商品のＩＤ情報に対して、広告費の支払いがあるかどうか、または特別販売の指定を受けたかどうかによって決定した広告の可否情報、および広告表示する時間帯、広告表示する顧客層を含む付加情報がある場合は、該付加情報とともに受信して記憶する広告情報記憶部と、
店舗内の陳列商品または陳列商品のＩＤ情報及び商品、商品群、または商品メーカの広告データを受信する受信部と、
前記陳列商品または陳列商品のＩＤ情報に基づき、前記広告情報記憶部に記憶された各商品または各商品のＩＤ情報に対する広告の可否情報を検索する検索部と、
前記検索部によって検索された各商品または各商品のＩＤ情報に対する広告の可否情報が広告可である場合、および付加情報を受信したときは、その付加情報を満足する場合、各商品または各商品のＩＤ情報に対応する広告データを表示部に表示させる表示制御部を
備えることを特徴とする表示端末機。
【請求項７】
前記店舗内を顧客と共に移動可能で、広告データを表示する表示部を有する表示端末機であって、
店舗内の広告費の支払いがあるかどうか、または特別販売の指定を受けたかどうかによって決定した広告可の各商品、または商品ごと、商品群ごとあるいは商品メーカごとに付与した各商品のＩＤ情報と、前記各商品または商品、商品群あるいは商品メーカの広告データ、および広告表示する時間帯、広告表示する顧客層を含む付加情報がある場合は、該付加情報とともに受信して記憶する広告情報記憶部と、
店舗内の陳列商品または陳列商品のＩＤ情報を受信する受信部と、
前記陳列商品または陳列商品のＩＤ情報に基づき、前記広告情報記憶部に記憶された各商品または各商品のＩＤ情報を検索する検索部と、
前記検索部によって検索されたＩＤ情報に対応する商品の広告データを、付加情報を受信したときは、その付加情報を満足する場合、表示部に表示させる表示制御部
を備えることを特徴とする表示端末機。
【請求項８】
前記店舗内を顧客と共に移動可能で、広告データを表示する表示部を有する表示端末機であって、
店舗内の広告費の支払いがあるかどうか、または特別販売の指定を受けたかどうかによって決定した広告可の各商品、または広告可の商品ごと、商品群ごと、あるいは商品メーカごとに付与した各商品のＩＤ情報、および広告表示する時間帯、広告表示する顧客層を含む付加情報がある場合は、該付加情報とともに受信して記憶する広告情報記憶部と、
店舗内の陳列商品または陳列商品のＩＤ情報と、それに対応する商品、商品群、または商品メーカの広告データを受信する受信部と、
前記陳列商品または陳列商品のＩＤ情報に基づき、前記広告情報記憶部に記憶された各商品または各商品のＩＤ情報を検索する検索部と、
前記検索部によって一致する商品または商品のＩＤ情報が存在する場合、および付加情報を受信したときは、その付加情報を満足する場合、商品または当該商品のＩＤ情報に対応する広告データを表示部に表示させる表示制御部
を備えることを特徴とする表示端末機。
【請求項９】
店舗内の各商品、または商品ごと、商品群ごとあるいは商品メーカごとに付与した各商品のＩＤ情報に対して広告費の支払いがあるかどうか、または特別販売の指定を受けたかどうかによって決定した広告の可否情報、および広告表示する時間帯、広告表示する顧客層を含む付加情報がある場合は、該付加情報とともに受信して記憶する広告情報記憶ステップと、
陳列商品または陳列商品のＩＤ情報及び商品、商品群、または商品メーカの広告データを受信する受信ステップと、
前記受信ステップで受信した陳列商品または陳列商品のＩＤ情報に基づき、前記広告情報記憶ステップで記憶された各商品または各商品のＩＤ情報に対する広告の可否情報を検索する検索ステップと、
前記検索ステップで、検索された各商品または各商品のＩＤ情報に対する広告の可否情報が広告可である場合、および付加情報を受信したときは、その付加情報を満足する場合、当該各商品または各商品のＩＤ情報に対応する広告データを表示部に表示させる表示制御ステップと
をコンピュータによって実行する広告表示方法。
【請求項１０】
店舗内の広告費の支払いがあるかどうか、または特別販売の指定を受けたかどうかによって決定した広告可の各商品、または商品ごと、商品群ごとあるいは商品メーカごとに付与した各商品のＩＤ情報と、それに対応する商品、商品群、または商品メーカの広告データ、および広告表示する時間帯、広告表示する顧客層を含む付加情報がある場合は、該付加情報とともに受信して記憶する広告情報記憶ステップと、
陳列商品または陳列商品のＩＤ情報を受信する受信ステップと、
前記受信ステップで受信した陳列商品または陳列商品のＩＤ情報に基づき、前記広告情報記憶ステップで記憶した各商品、または各商品のＩＤ情報を検索する検索ステップと、
前記検索ステップで、検索された各商品、または各商品のＩＤ情報に対応する広告データを、付加情報を受信したときは、その付加情報を満足する場合、表示部に表示させる表示制御ステップと
をコンピュータによって実行する広告表示方法。
【請求項１１】
店舗内の広告費の支払いがあるかどうか、または特別販売の指定を受けたかどうかによって決定した広告可の各商品、または商品ごと、商品群ごとあるいは商品メーカごとに付与した各商品のＩＤ情報、および広告表示する時間帯、広告表示する顧客層を含む付加情報がある場合は、該付加情報とともに受信して記憶する広告情報記憶ステップと、
陳列商品または陳列商品のＩＤ情報と、それに対応する商品、商品群、または商品メーカの広告データを受信する受信ステップと、
前記受信ステップで受信した陳列商品または陳列商品のＩＤ情報に基づき、前記広告情報記憶ステップで記憶した各商品、または各商品のＩＤ情報を検索する検索ステップと、
前記検索ステップで、一致する商品または商品のＩＤ情報が存在する場合、および付加情報を受信したときは、その付加情報を満足する場合、商品または当該商品のＩＤ情報に対応する広告データを表示部に表示させる表示制御部ステップと
をコンピュータによって実行する広告表示方法。
【発明の詳細な説明】
【技術分野】
【０００１】
本発明は、特定の商品に対してのみ広告を表示する広告表示システム及び広告表示方法と、表示端末機に関する。
【背景技術】
【０００２】
スーパーマーケット、デパート、商店街など大型商業施設において、顧客が探している商品への道順を案内する店内案内装置が公知である。（例えば、特許文献１、２、３参照）また、特許文献４は、店舗または公共施設等に、商品または情報を発信する情報発信装置を設置し、情報発信装置の送信地域に入った移動情報端末に情報を発信する限定的情報提供装置を開示している。
【先行技術文献】
【特許文献】
【０００３】
【特許文献１】特開平１０−１８７７３８号公報
【特許文献２】特開２０００−１６３４４９号公報
【特許文献３】特開２００３−１６３５１号公報
【特許文献４】特開２００２−１３８００７号公報
【発明の概要】
【発明が解決しようとする課題】
【０００４】
上記従来技術は、顧客へのサービスであるが、店舗経営者、商品メーカ、流通業者などの業者または広告主は、より一層の販売促進のための広告システム及び広告方法を希望している。従来の広告は、ポスター、画像表示装置、または放送などにより一般顧客に行っているため訴求力が小さく、必ずしも業者および広告主が期待する広告効果が得られていない。
本発明は、上記のような課題に鑑みて、積極的に販売促進が可能な広告表示システム及び広告表示方法と、表示端末機を提供することを目的とする。
【課題を解決するための手段】
【０００５】
本発明の広告表示システムは、上記課題を解決するため、第１の発明は、店舗内の商品の広告を顧客に表示する広告表示システムにおいて、商品のＩＤ情報に対する広告の可否情報を発信する広告情報発信機と、前記店舗内において、陳列される商品の棚に設置され、陳列商品のＩＤ情報及び広告データを発信する商品データ発信機と、前記店舗内を顧客と共に移動可能で、広告データを表示する表示端末機とを備え、前記表示端末機は、前記広告情報発信機より商品のＩＤ情報に対する広告の可否情報を受信して記憶する広告情報記憶部と、前記商品データ発信機より陳列商品のＩＤ情報及び広告データを受信する受信部と、前記商品データ発信機より受信した商品のＩＤ情報に基づき、前記広告情報記憶部に記憶されたＩＤ情報に対する広告の可否情報を検索する検索部と、前記検索部によって検索されたＩＤ情報に対する広告の可否情報が広告可である場合、当該ＩＤ情報に対応する広告データを表示部に表示させる表示制御部を備えることを特徴とする。
【０００６】
また、本発明の広告表示システムは、上記課題を解決するため、第２の発明は、店舗内の商品の広告を顧客に表示する広告表示システムにおいて、広告可の商品のＩＤ情報と、それに対応する広告データを発信する広告情報発信機と、前記店舗内において、陳列される商品の棚に設置され、陳列商品のＩＤ情報を発信する商品データ発信機と、前記店舗内を顧客と共に移動可能で、広告データを表示する表示端末機とを備え、前記表示端末機は、前記広告情報発信機より広告可の商品のＩＤ情報と、それに対応する広告データを受信して記憶する広告情報記憶部と、前記商品データ発信機より陳列商品のＩＤ情報を受信する受信部と、前記商品データ発信機より受信した商品のＩＤ情報に基づき、前記広告情報記憶部に記憶された広告データを検索する検索部と、前記検索部によって検索された広告データを表示部に表示させる表示制御部を備えることを特徴とする。
【０００７】
更に、本発明の広告表示システムは、上記課題を解決するため、第３の発明は、店舗内の商品の広告を顧客に表示する広告表示システムにおいて、広告可の商品のＩＤ情報を発信する広告情報発信機と、前記店舗内において、陳列される商品の棚に設置され、陳列商品のＩＤ情報と、それに対応する広告データを発信する商品データ発信機と、前記店舗内を顧客と共に移動可能で、広告データを表示する表示端末機とを備え、前記表示端末機は、前記広告情報発信機より広告可の商品のＩＤ情報を受信して記憶する広告情報記憶部と、前記商品データ発信機より陳列商品のＩＤ情報と、それに対応する広告データを受信する受信部と、前記広告情報発信機より受信した広告可の商品のＩＤ情報と、前記商品データ発信機より受信した商品のＩＤ情報を検索する検索部と、前記検索部によって一致するＩＤ情報が存在する場合、広告データを表示部に表示させる表示制御部を備えることを特徴とする。
【０００８】
上記店舗は、スーパーマーケット、デパート、あるいは商店街のように多くの商店または売場があるような商業施設の中の店舗を指す。また、店舗は、店舗内に区切られた売場、領域あるいは階であってもよい。
また、上記商品は、商品単位でも、商品郡単位でも、商品メーカ単位でもよい。商品は、店舗経営者、商品メーカ、流通業者など業者あるいは広告主が広告可能または広告不可を指定する単位であればよい。
ここで、広告可否を指定する商品は、例えば、広告費が支払われた商品、あるいは目玉商品のように特別販売の指定を受けた商品である。
上記広告情報発信機は、店舗の入口付近に設置されるが、入口と出口が別々である場合は、入口付近に設置される。しかし、出入口が複数あり、入口と出口が一体となり兼用されている場合は、表示端末機を所持する顧客の移動方向を検知して、店舗に入ってくる顧客に対して広告情報発信機が動作するようにするとよい。従って、入口は、売場、領域あるいは階の入口、またはエスカレータ前であってもよい。更には、ショッピングカートが配置されている場所に広告情報発信機を設置してもよい。
【０００９】
上記広告情報発信機は、店舗内の各商品のＩＤ情報と、各商品について広告可または広告不可情報を記憶し、表示端末機へ送信する。また、広告情報発信機は、月、週、日または時間のような日時単位、及び年齢、性別のような顧客層に対応して広告データを変化させてもよく、また日時及び顧客層を選択してもよい。
【００１０】
上記商品データ発信機は、各商品棚に１つまたは複数設置しても良いし、複数の商品棚に１つの商品データ発信機を設置しても良い。即ち、商品単位でも、商品郡単位でも、商品メーカ単位でもよく、店舗経営者、商品メーカ、流通業者など業者或いは広告主が広告可能または広告不可を指定する商品単位であればよい。商品データ発信機は、広告データ数、通信可能距離に応じて設置すればよい。また、商品データ発信機から発信される広告データは、商品の広告でも、商品郡の広告でも、または商品メーカの広告でも構わない。また広告データは、商品の性能、品質、価格、サービス、またはその他どのような広告であっても構わないし、サービス券発行あるいはクーポン券発行であってもよい。また、広告する商品は、商品単位でも、商品郡単位でも、商品メーカ単位でもよく、店舗経営者、商品メーカ、流通業者など広告主が希望する広告可能する単位であればよい。また、商品データ発信機は、１つの商品だけでなく、複数の商品の広告データを発信しても構わない。
【００１１】
上記表示端末機は、顧客によく見えるようにショッピングカートに取り付けるのが望ましい。または顧客が持ち運びできるようにポケットサイズにするとよい。あるいは、広告情報発信機及び商品データ発信機と通信可能な携帯端末または携帯電話でもよい。
【００１２】
また、上記課題を解決するため、別の観点によれば、本発明は表示端末機であり、店舗内の商品のＩＤ情報に対する広告の可否情報を受信して記憶する広告情報記憶部と、陳列商品のＩＤ情報及び広告データを受信する受信部と、前記陳列商品のＩＤ情報に基づき、前記広告情報記憶部に記憶されたＩＤ情報に対する広告の可否情報を検索する検索部と、前記検索部によって検索されたＩＤ情報に対する広告の可否情報が広告可である場合、当該ＩＤ情報に対応する広告データを表示部に表示させる表示制御部を備えることを特徴とする。
【００１３】
また、上記課題を解決するため、更に別の観点によれば、本発明は表示端末機であり、店舗内の広告可の商品のＩＤ情報とそれに対応する広告データを受信して記憶する広告情報記憶部と、陳列商品のＩＤ情報を受信する受信部と、前記陳列商品のＩＤ情報に基づき、前記広告情報記憶部に記憶されたＩＤ情報を検索する検索部と、前記検索部によって検索されたＩＤ情報に対応する商品の広告データを表示部に表示させる表示制御部を備えることを特徴とする。
【００１４】
更に、上記課題を解決するため、更に別の観点によれば、本発明は表示端末機であり、店舗内の広告可の商品のＩＤ情報を受信して記憶する広告情報記憶部と、陳列商品のＩＤ情報とそれに対応する広告データを受信する受信部と、前記陳列商品のＩＤ情報に基づき、前記広告情報記憶部に記憶されたＩＤ情報を検索する検索部と、前記検索部によって検索されたＩＤ情報に対応する商品の広告データを表示部に表示させる表示制御部を備えることを特徴とする。
【００１５】
また、上記課題を解決するため、別の観点によれば、本発明は広告表示方法であり、店舗内の商品のＩＤ情報に対する広告の可否情報を受信して記憶する広告情報記憶ステップと、陳列商品のＩＤ情報及び広告データを受信する受信ステップと、前記受信ステップで受信した商品のＩＤ情報に基づき、前記広告情報記憶ステップで記憶されたＩＤ情報に対する広告の可否情報を検索する検索ステップと、前記検索ステップで、検索されたＩＤ情報に対する広告の可否情報が広告可である場合、当該ＩＤ情報に対応する広告データを表示部に表示させる表示制御ステップとを実行することを特徴とする。
【００１６】
また、上記課題を解決するため、更に別の観点によれば、本発明は広告表示方法であり、店舗内の広告可の商品のＩＤ情報と、前記広告可の商品の広告データを受信して記憶する広告情報記憶ステップと、陳列商品のＩＤ情報を受信する受信ステップと、前記受信ステップで受信した商品のＩＤ情報に基づき、前記広告情報記憶ステップで記憶したＩＤ情報を検索する検索ステップと、前記検索ステップで、検索されたＩＤ情報に対応する広告データを表示部に表示させる表示制御ステップとを実行することを特徴とする。
【００１７】
また、上記課題を解決するため、更に別の観点によれば、本発明は広告表示方法であり、店舗内の広告可の商品のＩＤ情報を受信して記憶する広告情報記憶ステップと、陳列商品のＩＤ情報と、前記広告可の商品の広告データを受信する受信ステップと、前記受信ステップで受信した商品のＩＤ情報に基づき、前記広告情報記憶ステップで記憶したＩＤ情報を検索する検索ステップと、前記検索ステップで、検索されたＩＤ情報に対応する広告データを表示部に表示させる表示制御ステップとを実行することを特徴とする。
【発明の効果】
【００１８】
本発明によれば、顧客と共に移動可能な表示端末装機に広告可の商品のみの広告データが表示されるので、顧客への訴求力をより大きくすることができる広告表示システムを提供することができる。更に広告データは、顧客が商品の近くにいるときに表示されるので、タイミングよく広告データが表示され、購買意欲を誘うことができる。
【図面の簡単な説明】
【００１９】
【図１】本発明の広告表示システムが実施される店舗のレイアウト図を示す。
【図２】本発明の広告表示システムの第１実施形態に使用される広告情報発信機のブロック図を示す。
【図３】本発明の広告表示システムの第１実施形態に使用される商品データ送信機のブロック図を示す。
【図４】本発明の広告表示システムの第１実施形態に使用される表示端末機のブロック図を示す。
【図５】本発明の広告表示システムによる第１実施形態の動作説明図を示す。
【図６】本発明の広告表示システムによる第１実施形態のフローチャート図を示す。
【図７】本発明の広告表示システムの第２実施形態に使用される広告情報発信機のブロック図を示す。
【図８】本発明の広告表示システムの第２実施形態に使用される商品データ送信機のブロック図を示す。
【図９】本発明の広告表示システムの第２実施形態に使用される表示端末機のブロック図を示す。
【図１０】本発明の広告表示システムによる第２実施形態の動作説明図を示す。
【図１１】本発明の広告表示システムによる第２実施形態のフローチャート図を示す。
【発明を実施するための形態】
【００２０】
本発明の広告表示システムは、顧客と共に移動可能な表示端末機に広告可の商品の広告データのみを表示するものであり、そのため、店舗の入口付近、またはショッピングカート或いは広告情報発信機の設置場所に設置された広告情報発信機と、前記店舗内において、商品が陳列される商品棚の近傍に設置された商品データ発信機と、店舗内を移動する顧客が所持し、広告データを表示する表示部を有する表示端末機とを備える。
【００２１】
図１は本発明の広告表示システムが設置される店舗のレイアウト図を示す。図１に示すように、店舗１００は、入口１１０と、出口１２０があり、店舗内に商品棚１３０が多数並べられ、各商品棚１３０には、それぞれ商品が陳列される。出口１２０の近傍に会計用のＰＯＳ端末１４０が配置される。図１の店舗レイアウトは、一例であり、入口１１０、出口１２０、商品棚１３０及びＰＯＳ端末１４０の配置及び数は、店舗の面積、形態により任意に決めることができる。また、入口１１０と出口１２０が、出入口として一体化している場合は、顧客が入る方向を入口、出る方向を出口とする。顧客が出入口を入るか、出るかは、監視カメラの画像解析又は顧客の移動方向検知センサーの検知出力により検出することができる。ＰＯＳ端末１４０は複数台配置してもよいし、分散配置してもよい。
図１に示す店舗は、スーパーマーケット、デパートまたは商店街のような商業施設の中の１つの店舗を示すが、店舗内に区切られた売場あるいは領域、階であってもよい。
【００２２】
図１に示す店舗レイアウトにおいて、入口付近に広告情報発信機１０が設置され、出口付近に出口信号送信機２０が設置される。ここで、入口は、売場、領域あるいは階の入口、またはエスカレータ前、更には、ショッピングカートが配置されている場所を指す。更に、商品棚１３０に商品データ送信機３０が設置される。商品データ送信機３０は、各商品棚１３０または各商品に設置される。また、表示端末機４０は、店舗の入口１１０の付近に置かれ、顧客が所持して店舗内に持ち運びする。またはショッピングカートに取り付け、顧客とともに移動可能にする。表示端末機４０は、各顧客が利用できるように、または顧客と共に移動するよう顧客数だけ用意する。
【００２３】
本発明の広告表示システムは、広告情報発信機１０、出口信号送信機２０、商品データ送信機３０及び表示端末機４０によって構成される。この第１実施形態は、表示端末機４０はこの広告表示システムに備えられたものとして説明するが、広告情報発信機１０、出口信号送信機２０及び商品データ送信機３０と通信し、ＩＤ情報、広告データを記憶し、ＩＤ情報を検索する機能を有し、更に広告データを表示する機能があれば、携帯電話あるいは携帯端末機を使用することが可能である。
この他に、サーバー（図示しない。）を備え、広告情報発信機１０、出口信号送信機２０、商品データ送信機３０及び表示端末機４０を制御する。サーバーは、広告情報発信機１０、出口信号送信機２０、または商品データ送信機３０に備えられたコンピュータ部分を利用することによって、兼用することも可能である。
【００２４】
（第１実施形態）
第１実施形態は、図１に示す店舗に実施され、広告情報発信機１０、出口信号送信部２０、商品データ送信機３０及び表示端末機４０を備える。
図２は、第１実施形態において使用される広告情報発信機１０のブロック図を示す。
広告情報発信機１０は、制御部１１、ＲＯＭ１２、情報記憶部１３、センサー部１４、及び通信部１５を備える。この他に入力部、出力部、ＲＡＭ等を備えてもよいし、なくてもよい。
【００２５】
制御部１１は、ＲＯＭ１２に格納されたプログラムを読み出して、プログラムに従って入店時ＩＤ送信部１の全体を制御する部分である。
ＲＯＭ１２は、入店時ＩＤ送信部１を制御するためのプログラムを格納する。
【００２６】
情報記憶部１３は、例えば、フラッシュメモリよりなり、各商品または各ＩＤ情報と、各商品または各ＩＤ情報について広告可または広告不可情報を記憶する商品データメモリ１３ａを有する。広告可または広告不可は、広告費の支払いがあるかどうか、または目玉商品のように特別販売の指定を受けた商品であるかどうかによって決定する。その他、広告可または広告不可を決定する時間帯または顧客層など理由がある場合は、その他の理由によって決定してもよい。
【００２７】
図２に示すように、各商品または各ＩＤ情報と広告可または広告不可情報は、一対にして記憶され、各商品または各ＩＤ情報について広告可か不可かを表すようになっている。上記商品または各ＩＤ情報は、商品単位でも、商品郡単位でも、商品メーカ単位でもよい。店舗経営者、商品メーカ、流通業者など広告主が広告費を支払う単位であればよい。
【００２８】
また、商品データメモリ１３ａは、広告可または広告不可情報だけでなく、広告表示する時間帯、広告表示する顧客層などの情報を付加してもよい。時間帯としては、月、週、日、午前、または午後あるいは夕方のように分類してもよいし、時刻を設定してもよい。また顧客層は、年齢、性別に分類する。各商品のＩＤ情報は、商品ごと、商品群ごと、商品棚ごと、または商品メーカごとにつけてもよいが、ここでは各商品に付いているとする。
【００２９】
商品データメモリ１３ａに記憶するデータは、メモリを交換する、データを入力する、またはサーバーから書き換える、などの方法があるが、第１実施形態は、広告情報発信機１０に備えた入力部からデータを入力して書き換えるか、サーバーに記憶されたデータを通信部１５を介して読み込むことによって書き換えられる。
【００３０】
センサー部１４は、店舗の入口付近に設置され、顧客の来店を検出する。店舗の入口１１０と出口１２０が同一であり、出入口である場合には、センサー部１４を複数個設置し、顧客の移動方向を検出して、来店を検出する。または監視カメラの画像解析により、来店を検出する。顧客の来店を検出すると、制御部１１は情報記憶部１３の商品データメモリ１３ａからデータを順次読み出し、通信部１５より発信する。センサー部１４が顧客の来店を検出したときだけ、通信部１５が動作するように制御すると、電力消費を低減することができる。広告費データの読み出しの順序は限定されないが、ＩＤの順序であるとよい。
【００３１】
通信部１５は、例えば微弱電波のような短距離通信によって通信を行い、入口付近の来店する顧客が所有する表示端末機４０へ商品データメモリ１３ａに記憶された情報を送信する。センサー部１４が顧客の来店を検出したときにだけ、通信部１５を作動させることにより、無駄な消費電力を削減することができる。
【００３２】
図３は、第１実施形態に使用される商品データ送信機３０のブロック図を示す。
商品データ送信機３０は、制御部３１、ＲＯＭ３２、情報記憶部３３、及び通信部３４を備える。商品データ発信機３０は、各商品棚に１つまたは複数設置される。または複数の商品棚に１つの商品データ発信機３０が設置される。商品データ発信機３０は、広告データ数、通信可能距離に応じて設置するとよい。望ましくは、商品ごとに設置するとよい。即ち、商品データ送信機３０は、商品棚に陳列された商品またはＩＤ情報を発信するように設置される。商品データ送信機３０が１つの商品または１つのＩＤ情報しか発信できない場合は、広告データを表示したい商品毎に設置する。しかし、商品データ送信機３０が複数の商品またはＩＤ情報を発信できる場合は、商品またはＩＤ情報を送信する複数の商品に対応するように設置し、複数商品または複数のＩＤ情報を、一定時間毎に繰り返し発信するようにするとよい。また、図示しないが、顧客を検出するセンサーを備えて、顧客がいるときだけ商品またはＩＤ情報を送信するように動作制御すると、消費電力の削減が可能である。
【００３３】
制御部３１は、ＲＯＭ３２に格納されたプログラムを読み出して、プログラムに従って商品データ送信機３０の全体を制御する部分である。
ＲＯＭ３２は、商品データ送信機３０を制御するためのプログラムを格納する。
【００３４】
情報記憶部３３は、例えば、フラッシュメモリよりなり、各商品のＩＤ情報を記憶するＩＤ情報記憶部３３ａと、各商品の広告データを記憶する広告データ記憶部３３ｂとを有する。広告データは、商品の広告でも、商品郡の広告でも、または商品メーカの広告でも構わない。また広告データは、商品の性能、品質、価格、サービス、またはその他どのような広告であっても構わないし、サービス券発行あるいはクーポン券発行であってもよい。また、広告する商品は、商品単位でも、商品郡単位でも、商品メーカ単位でもよく、店舗経営者、商品メーカ、流通業者など広告主が希望する広告可能する単位であればよい。例えば、「増量キャンペーン実施中  午前中のみ」「現在、特別価格で販売」「おまけつき」「サービス券あり」あるいは「クーポン券あり」を記憶する。
【００３５】
顧客が来店時に、全ての広告データを送信して、表示端末機４０に記憶させる場合は、商品数が多くなると、通信量、時間が増え、通信負荷が高くなるが、商品棚の前で広告データを送信することにより、通信量を少なくし、また送信時間の分散をすることができる。更に、顧客が通過する経路に自ずと限定して広告データを送信することが可能となる。そのため、顧客が必要としない広告データを送信し、表示端末機４０に記憶させる必要がないので、記憶容量も少なくすることが可能であり、メモリ容量的にも有利である。
【００３６】
情報記憶部３３のＩＤ情報記憶部３３ａに記憶するＩＤ情報及び広告データ記憶部３３ｂに記憶する広告データデータは、メモリを交換する、データを入力する、またはサーバーから書き換える、などの方法があり、どの方法であっても構わないが、この第１実施形態は、店員が所有するハンディ端末（図示しない）から、通信部３４を使用して追加または削除により、変更可能である。
通信部３４は、例えば微弱電波のような短距離通信によって通信を行い、商品棚に陳列された商品の近傍にいる顧客が所有する表示端末機４０へ情報記憶部３３に記憶されたＩＤ情報及び広告データを送信する。センサー部を備えれば、顧客が商品の近くに来た時だけ、通信部３４を作動させることにより、無駄な消費電力を削減することができる。
【００３７】
図４は、第１実施形態に使用される表示端末機４０のブロック図を示す。
表示端末機４０は、制御部４１、ＲＯＭ４２、ＲＡＭ４３、情報記憶部４４、表示部４５、操作部４６及び通信部４７を備える。表示端末機４０は、ショッピングカートに固定され、顧客によく見えるよう取り付けられている。または顧客が持ち運びできるようにポケットサイズにする。表示端末機４０は、携帯端末又は携帯電話であってもよく、各顧客が持ち運びできるように顧客数だけ用意する。
【００３８】
制御部４１は、ＲＯＭ４２に格納されたプログラムを読み出して、プログラムに従って表示端末装置４の全体を制御する部分である。制御部４１は、ＲＡＭ４３に記憶されたＩＤ情報に基づいて、情報記憶部４４に記憶された商品データメモリ４４ａを検索する検索部４１ａ及び検索部４１ａが検索した回数をカウントするカウンタ４１ｂを有する。
ＲＯＭ４２は、表示端末装置４０を制御するためのプログラムを格納する。
ＲＡＭ４３は、一時的にデータを記憶するための記憶部分であって、ＩＤ情報記憶エリア４３ａおよび広告データ記憶エリア４３ｂを有する。ＩＤ情報記憶エリア４３ａは、通信部４７が商品データ送信機３０より受信した商品棚に陳列されている商品のＩＤ情報を記憶する。広告データ記憶エリア４３ｂは、商品データ送信機３０より受信した広告データを記憶する。この外に、制御部４１によって使用されるワークエリア（図示しない）を有する。
【００３９】
情報記憶部４４は、店舗入口付近で広告情報発信機１０より受信した広告可否情報を商品データメモリ４４ａに記憶する。従って商品データメモリ４４ａに記憶された広告可否情報は、各商品または各ＩＤについて広告可または広告不可を表す情報である。商品データメモリ４４ａは、広告情報発信機１０より、広告表示する時間帯、または顧客層などの情報が付加された場合は、そのような情報も記憶する。図４は、時間帯および顧客層の情報が付加された情報を記憶する様子を示す。
【００４０】
表示部４５は、液晶表示装置、プラズマ表示装置、有機ＥＬ表示装置のように低消費電力で薄型の表示装置である。この第１実施形態では液晶モニター４５ａを使用している。液晶モニター４５ａに画像を表示させるため、コントローラ４５ｂ及びＶＲＡＭ４５ｃを備える。表示モニター４５ａに広告データを表示する。
操作部４６は、ユーザの操作を受付ける部分であり、タッチパネルまたは操作キーを備える。
【００４１】
通信部４７は、店舗の入口付近で広告情報発信機１０の通信部１５と通信し、各商品または各ＩＤ情報と、各商品または各ＩＤ情報の広告可または広告不可情報を受信する。また、商品棚付近で商品データ送信機３０の通信部３４と通信し、ＩＤ情報及び広告データを受信する。更に出口付近で、出口信号送信機２０の通信部と通信し、情報記憶部４４に記憶されている広告可否情報をクリアする制御信号を受信する。通信部４７により受信された各商品のＩＤ情報と広告可否情報は情報記憶部４４に記憶され、商品データ送信機３０から受信したＩＤ情報及び広告データはＲＡＭ４３に記憶される。また、クリア信号を受信すると、制御部４１は、ＲＡＭ４３及び情報記憶部４４の記憶情報をクリアする。
【００４２】
出口信号送信機２０のブロック図は、図示しないが、顧客が表示端末機４０を持って出口まできたときに、表示端末機４０の情報記憶部４４に記憶されている広告可否情報をクリアする制御信号を発信する。そのため、クリア信号発信部と、表示端末機４０が出口から出るのを検出するセンサー部と、クリア信号発信を送信する送信部を備える。この他に、表示端末機４０の持ち出しを防止する警報信号を発信する警報信号発信部を備える。
【００４３】
本発明の第１実施形態は以上のように構成されるので、顧客が来店し、表示端末機４０を入口付近で所持すると、広告情報発信機１０より、広告可能または広告不可情報を受信する。受信された広告可否情報は、顧客が所有または顧客とともに移動する表示端末機４０の情報記憶部４４に記憶される。このような動作は、無線によって自動的に行なわれるので、顧客は意識することがない。
【００４４】
次に顧客が商品棚付近に移動すると、商品棚に設置された商品データ送信機３０より商品棚に陳列された商品のＩＤ情報及び広告データを受信する。受信したＩＤ情報及び広告データは、顧客が所有する表示端末機４０のＲＡＭ４３に記憶される。この動作も無線によって自動的に行なわれるので、顧客は意識することがない。そして、顧客が商品を陳列した商品棚を移動すると、図５（ａ）に示すように広告不可の商品２の前を通過したときは、表示端末機４０は広告データを表示しない。しかし、図５（ｂ）に示すように広告可の商品４の前を通過したときは、表示端末機は広告データを表示する。例えば、「増量キャンペーン実施中  午前中のみ」を表示する。または「現在、特別価格で販売」「おまけつき」「サービス券あり」あるいは「クーポン券あり」を表示する。
即ち、表示端末機４０は入店時に広告情報発信機１０より、各商品または各ＩＤ情報と、広告可または広告不可情報を受信し、商品データ送信機３０よりＩＤ情報及び広告データを受信する。そして、顧客が商品の前を通ると、商品データ送信機３０より受信したＩＤ情報に基づいて、広告情報発信機１０より受信したＩＤ情報を検索する。そして、検索されたＩＤ情報に対応する商品が広告可能商品である場合、そのＩＤ情報に対応する広告データが読み出され表示される。しかし、広告不可商品である場合、広告データは読み出されず、広告データは表示されない。
【００４５】
図５で説明した動作は、図６のフローチャートによって実行される。
図６に示すフローチャートは、店舗入店時処理、店舗内処理及び店舗出店時処理に分かれている。
【００４６】
（１）店舗入店時処理
ステップＳ１は、顧客が表示端末機４０を持って店舗内に入店すると、入り口付近に設置された広告情報発信機１０より各商品または各ＩＤ情報と、各商品またはかくＩＤ情報について広告可または広告不可情報を受信する。また、広告表示する時間帯、広告表示する顧客層などの情報がある場合は、その情報も受信する。
次に、ステップＳ２では、受信した商品またはＩＤ情報と広告可否情報を表示端末機４０の情報記憶部４４に記憶する。即ち、各商品または各ＩＤ情報と、広告可または広告不可情報を、記憶する。ステップＳ２の処理は、店舗のカートに備え付けの表示端末機４０であれば、その日の開店前にＩＤ情報と広告可否情報を書き込むことにより対応することが出来る。
上記ステップＳ１は、広告可の商品のＩＤ情報を受信し、ステップＳ２は受信した広告可の商品のＩＤ情報に基づき、商品データメモリ４４ａのＩＤ情報を広告「可」に設定する動作に代えてもよい。
【００４７】
（２）店舗内処理
ステップＳ３は、顧客が店舗内を移動し、表示端末機４０が商品棚１３０に備え付けられた商品データ送信機３０からＩＤ情報及び広告データを受信したか否かを判断する。受信していなければ、ステップＳ１０に移行し、出口に設置された出口信号送信機２０からの信号を受信したかを判断する。ステップＳ３で、表示端末機４０が商品棚に備え付けられた商品データ送信機３０からＩＤ情報及び広告データを受信した場合は、ステップＳ４で、表示端末機４０のＲＡＭ４３にＩＤ情報及び広告データを記憶する。
【００４８】
次に、ステップＳ５では、ＲＡＭ４３に記憶したＩＤ情報に基づき、検索部４１ａのカウンタ４１ｂをクリアして、インクリメントする毎にカウンタが示す商品データメモリ４４ａに記憶された商品またはＩＤ情報と比較することによりＩＤ情報を検索する。ステップＳ６では、上記検索の結果、該当するＩＤ情報の商品は広告可か広告不可かを確認する。広告可である場合は、ステップＳ７に移行し、その商品またはＩＤ情報に対応する広告データを広告データ記憶部４３ｂより読み出して液晶モニター４５ａに表示する。この広告データを表示する際、表示端末機４０の広告情報記憶部４４ａに時間帯情報または顧客層情報がある場合は、これら情報を満たしているか、否か判断する。もし時間帯情報または顧客層情報を満足する場合は、広告データを表示し、満足しない場合は広告データを表示しない。
ステップＳ８では、検索した該当ＩＤ情報の受信が継続しているかどうか判断し、検索したＩＤ情報の受信が継続している間は（Ｙｅｓの場合）、その広告データを表示する。しかし、ＩＤ情報が受信できなくなると（Ｎｏの場合）、表示を終了する（ステップＳ９）。上記説明では、ＩＤ情報が受信できなくなることにより表示を終了したが、次に広告可能ＩＤ情報を受信するまでの間、表示させることも可能である。
【００４９】
（３）店舗出店時処理
ステップＳ１０では、店舗を出る際に、出口付近に設置された出口信号送信機２０からの信号を受信すると（Ｙｅｓの場合）、ステップＳ１１に移行し、表示端末機４０の情報記憶部４４に記憶されている商品またはＩＤ情報と、広告データをクリアして次の入店に備える。しかし、ステップＳ１０で、出口信号送信機２０から信号を受信しない場合は（Ｎｏの場合）ステップＳ１に戻る。
【００５０】
以上のような処理によって、顧客が所有する表示端末装置には、広告費が支払われた商品のみが広告データを表示されるので、顧客への訴求力をより大きくすることができる。更に広告データは、顧客が商品の近くにいるときに表示されるので、タイミングよく広告データが表示され、購買意欲を誘うことができる。
【００５１】
（第２実施形態）
第２実施形態も第１実施形態と同様に、図１に示す店舗に実施され、広告情報発信機１０、出口信号送信機２０、商品データ送信機３０及び表示端末機４０を備える。
図７は、第２実施形態において使用される広告情報発信機１０のブロック図を示す。第２実施形態の広告情報発信機１０が第１実施形態の広告情報発信機１０と異なるところは、商品データメモリ１３ｂである。第１実施形態の広告情報発信機１０は、商品データメモリ１３ａには、各商品または各ＩＤ情報と、各商品または各ＩＤ情報の広告可または広告不可情報を対にして記憶していた。しかし、この第２実施形態の広告情報発信機１０では、商品データメモリ１３ｂは、広告可の商品またはＩＤ情報と広告データを対にして記憶する。即ち、図７に示すように、広告不可の商品またはＩＤ情報は存在せず、広告可の商品またはＩＤ情報と、広告データのみを対にして記憶する。その他の部分は、第１実施形態の広告情報発信機１０の各部分と同じである。
【００５２】
図８は、第２実施形態に使用される商品データ送信機３０のブロック図を示す。第２実施形態の商品データ送信機３０は、第１実施形態の商品データ送信機３０とほぼ同じ構成であり、相違点は情報記憶部３３にある。即ち、第１実施形態の商品データ送信機３０は、ＩＤ情報記憶部３３ａと、広告データ記憶部３３ｂを備えていたが、この第２実施形態の商品データ送信機３０は、ＩＤ情報記憶部３３ａだけを備え、広告データ記憶部３３ｂを備えていない。つまり、入店時に広告情報発信機１０より、広告可能商品のみのＩＤ情報と広告データを対にして記憶するので、商品データ送信部３０は、広告データを発信する必要がない。
このように、第２実施形態の商品データ送信機３０は、商品数が多い店舗では数多くの商品データ送信機を用意する必要があるが、広告データを発信する必要がなく、ＩＤ情報のみを送信すればよいので、送信データ量も少なく、省電力であり、構成を簡単にすることができ、安価に製造することができる。
【００５３】
図９は、第２実施形態に使用される表示端末機４０のブロック図を示す。第２実施形態の表示端末機４０は、第１実施形態の表示端末機４０とほぼ同じ構成であり、相違点はＲＡＭ４３及び情報記憶部４４にある。即ち、第２実施形態のＲＡＭ４３は、商品データ送信機３０よりＩＤ情報のみを受信するので、ＩＤ情報記憶部４３ａだけがあり、広告データ記憶部はない。また表示端末機４０は、入店時に広告情報発信機１０より、広告可の商品またはＩＤ情報と、広告データを対にした情報を受信するので、これを商品データメモリ４４ｂに記憶する。従って、商品データメモリ４４ｂは、図９に示すように、広告可の商品のＩＤ情報と、広告データを対にして記憶し、広告不可の情報はない。その他は、第１実施形態の表示端末装置４０と同じである。
【００５４】
本発明の第２実施形態は以上のように構成されるので、顧客が来店し、表示端末機４０を入口付近で所持すると、広告情報発信機１０より、広告可能な商品またはＩＤ情報と、広告可能商品の広告データを対にした広告可否情報を受信する。受信された広告可否情報は、顧客が所有する表示端末機４０の情報記憶部４４ｂに記憶される。このような動作は、無線によって自動的に行なわれるので、顧客は意識することがない。
【００５５】
次に顧客が商品棚付近に移動すると、商品棚に設置された商品データ送信機３０よりＩＤ情報を受信する。受信したＩＤ情報は、顧客が所有する表示端末機４０のＲＡＭ４３に記憶される。この動作も無線によって自動的に行なわれるので、顧客は意識することがない。そして、顧客が商品の陳列された商品棚まで移動すると、図１０（ａ）に示すように広告不可商品２の前を通過したときは、表示端末機４０は広告データを表示しない。しかし、図１０（ｂ）に示すように広告可能商品４の前を通過したときは、表示端末機４０は広告データを表示する。例えば、「商品４  ただいまキャンペーン実施中！！！  ２ヶ月間無料サービス中！！！  詳しくは店舗まで！！！」を表示する。または「現在、特別価格で販売」「おまけつき」「サービス券あり」あるいは「クーポン券あり」を表示する。
即ち、表示端末機４０は入店時に広告情報発信機１０より、広告可能または広告付加費情報と広告データを対にした広告可否情報を受信する。そして、商品棚１３０の前を通ると、各商品棚１３０に設置された商品データ送信機３０からその商品棚に陳列されている商品のＩＤ情報を受信する。すると、商品データ送信機３０より受信したＩＤ情報に基づいて、広告情報発信機１０より受信したＩＤ情報を検索する。該当するＩＤ情報が存在する場合は、そのＩＤ情報に対応する広告データを読み出し表示する。しかし、該当するＩＤ情報が検索されない場合、広告データは読み出されず、広告データは表示されない。
【００５６】
図１０で説明した動作は、図１１のフローチャートによって実行される。
図１１に示すフローチャートは、図６に示した第１実施形態のフローチャートとほぼ同じで、異なる点は、ステップＳ１ａ〜ステップＳ７ａである。
即ち、図１１に示すフローチャートにおいて、ステップＳ１ａは、広告情報発信機１０より広告可能の商品のＩＤ情報と広告データを受信する。次に、ステップＳ２ａでは、受信したＩＤ情報と広告データを表示端末機４０の情報記憶部４４ｂに記憶する。
ステップＳ３ａは、表示端末機４０が商品棚１３０に備え付けられた商品データ送信機３０からＩＤ情報を受信したか否かを判断する。受信していなければ、ステップＳ１０に移行し、出口に設置された出口信号送信機からの信号を受信したかを判断する。ステップＳ３ａで、表示端末機４０が商品データ送信機３０からＩＤ情報を受信した場合には、受信したＩＤ情報を表示端末機４０のＲＡＭ４３のＩＤ情報記憶部４３ｂに記憶する。第２実施形態は、商品データ送信機３０から広告データを受信しないので、広告データを記憶するステップＳ４は不要である。次にステップＳ５ａに移行し、受信したＩＤ情報が情報記憶部に記憶されているか検索を行う。
【００５７】
次に、ステップＳ６ａでは、ＲＡＭ４３に記憶したＩＤ情報に基づき、制御部４１にあるＩＤ検索部４１ａのカウンタ４１ｂをクリアして、インクリメントする毎にカウンタ４１ｂが示すＩＤ情報と商品データメモリ４４ｂのＩＤ情報と比較することによりＩＤ情報を検索する。検索の結果、ステップＳ６ａで商品データメモリ４４ｂに存在する場合は、ステップＳ７ａで、一致したＩＤ情報に対応付けて記憶されている広告データを読み出して表示する。
以上のような処理によって、顧客が所有する表示端末装置には、広告費が支払われた商品のみが広告データを表示されるので、顧客への訴求力をより大きくすることができる。更に広告データは、顧客が商品の近くにいるときに表示されるので、タイミングよく広告データが表示され、購買意欲を誘うことができる。
【００５８】
（第３実施形態）
第３実施形態も第１実施形態及び第２実施形態と同様に、図１に示す店舗に実施され、広告情報発信機１０、出口信号送信機２０、商品データ送信機３０及び表示端末機４０を備える。
第１実施形態の広告情報発信機１０は、商品データメモリ１３ａには、各商品または各ＩＤ情報と、各商品または各ＩＤ情報の広告可または広告不可情報を対にして記憶していた。そして、商品データ送信機３０より、ＩＤ情報と広告データを送信するものである。
また、第２実施形態の広告情報発信機１０では、商品データメモリ１３ｂは、広告可の商品またはＩＤ情報と広告データを対にして記憶し、広告不可の商品またはＩＤ情報は記憶しないようにしていた。そして、商品データ送信機３０より、ＩＤ情報を送信するものである。
【００５９】
これに対して、第３実施形態の広告情報発信機は、商品データメモリに広告可の商品またはＩＤ情報を記憶して、これを発信する。そして、商品データ送信機３０より、ＩＤ情報と広告データを送信するものである。
従って、第３実施形態では、表示端末機は、広告情報発信機より広告可の商品のＩＤ情報を受信して記憶する広告情報記憶部と、商品データ発信機より陳列商品のＩＤ情報と、それに対応する広告データを受信する受信部と、広告情報発信機より受信した広告可の商品のＩＤ情報と、商品データ発信機より受信した商品のＩＤ情報を検索する検索部と、検索部によって一致するＩＤ情報が存在する場合、広告データを表示部に表示させる表示制御部を備える。その他の部分は第１実施形態及び第２実施形態と同じ。
以上のような処理によって、顧客が所有する表示端末装置には、広告費が支払われた商品のみが広告データを表示されるので、顧客への訴求力をより大きくすることができる。更に広告データは、顧客が商品の近くにいるときに表示されるので、タイミングよく広告データが表示され、購買意欲を誘うことができる。
【符号の説明】
【００６０】
１００  店舗
１１０  入口
１２０  出口
１３０  商品棚
１４０  ＰＯＳ端末
１０  広告情報発信機
２０  出口信号送信機
３０  商品データ送信機
４０  表示端末機
１３  情報記憶部
１４  センサー部
１５  送信部
３３  情報記憶部
３４  通信部
４４  情報記憶部
４５  表示部
４７  通信部
【図１】
0005514525.tif 000002
【図２】
0005514525.tif 000003
【図３】
0005514525.tif 000004
【図４】
0005514525.tif 000005
【図５】
0005514525.tif 000006
【図６】
0005514525.tif 000007
【図７】
0005514525.tif 000008
【図８】
0005514525.tif 000009
【図９】
0005514525.tif 000010
【図１０】
0005514525.tif 000011
【図１１】
0005514525.tif 000012